(57)【要約】【課題】自己診断処理の実行時に外部から外部入力信号を入力させることなく，実際の動作状態に近い状態で自己診断処理を行うことのできる映像表示装置を提供すること。【解決手段】外部から入力される外部入力信号に基づいて映像及び音声を再生する映像表示装置において，当該映像表示装置の動作状態を診断する自己診断処理を実行する際に（ステップＳ３のＹｅｓ側），当該映像表示装置の通常動作時（ステップＳ２）に予め不揮発性のバッファメモリ等に予め記憶されていた前記外部入力信号に基づいて映像及び音声を再生させる（ステップＳ５〜Ｓ６）。【選択図】図２
2012019423.tif 000002
【特許請求の範囲】
【請求項１】
外部から入力される外部入力信号に基づいて映像及び音声を再生する映像表示装置であって，
当該映像表示装置の動作状態を診断する自己診断処理を実行する自己診断手段と，当該映像表示装置の通常動作時に外部から入力される前記外部入力信号を記憶する外部入力信号記憶手段とを備えてなり，
前記自己診断手段が，前記自己診断処理を実行する際に，前記外部入力信号記憶手段に予め記憶された前記外部入力信号に基づいて映像及び音声を再生させることを特徴とする映像表示装置。
【請求項２】
外部から入力されるテレビジョン放送信号からトランスポートストリーム信号を復調する復調手段を更に備えてなり，
前記外部入力信号が，前記復調手段によって復調された前記トランスポートストリーム信号である請求項１に記載の映像表示装置。
【請求項３】
当該映像表示装置の通常動作時に実行される通常動作プログラムが記憶された第１の記憶手段と，前記自己診断処理を実行するための自己診断プログラムが記憶された第２の記憶手段と，前記自己診断手段が実行するプログラムの読み出し先を前記第１の記憶手段及び前記第２の記憶手段の間で切り替えるプログラム切替手段とを更に備えてなり，
前記自己診断手段が，前記プログラム切替手段によってプログラムの読み出し先が前記第１の記憶手段から前記第２の記憶手段に切り替えられることにより，該第２の記憶手段に記憶された前記自己診断プログラムに従って前記自己診断処理を実行するものである請求項１又は２のいずれかに記載の映像表示装置。
【請求項４】
前記外部入力信号記憶手段が，外部から入力される前記外部入力信号の一時記憶に用いられる不揮発性のバッファメモリである請求項１〜３のいずれかに記載の映像表示装置。
【発明の詳細な説明】
【技術分野】
【０００１】
本発明は，外部から入力される外部入力信号に基づいて映像や音声を再生する映像表示装置に関し，特に，自己の状態を診断する自己診断機能を有する映像表示装置に関するものである。
【背景技術】
【０００２】
液晶テレビジョン受像機や液晶ディスプレイなどの映像表示装置は，外部から入力される外部入力信号に基づいて映像や音声を再生する。具体的に，液晶テレビジョン受像機では，テレビジョン放送受信アンテナからテレビジョン放送信号を受信し，該テレビジョン放送信号からＴＳ（トランスポート・ストリーム）信号を復調する。そして，そのＴＳ信号から映像信号や音声信号を分離して液晶パネルやスピーカに出力することにより，その映像信号や音声信号に基づく映像や音声を再生する。
このような映像表示装置は，異常の有無や異常の内容などの自己の現在の状態を自動的に診断する自己診断機能を有することがある。この自己診断機能は，例えば映像表示装置の出荷後，該映像表示装置の修理やメンテナンス等を行う際に利用される。なお，例えば特許文献１には，電子回路基板の不良箇所を自動的に検索するための技術が開示されている。
【先行技術文献】
【特許文献】
【０００３】
【特許文献１】特開平１−２６３５７１号公報
【発明の概要】
【発明が解決しようとする課題】
【０００４】
ところで，映像表示装置で自己診断機能により自己診断処理を実行するとき，実際に外部から外部入力信号を入力せずに，シミュレーションにより生成される擬似信号などを用いて動作を診断することも考えられるが，それでは映像表示装置の実際の動作状態について診断することはできない。即ち，実際の動作状態で診断を行うためには，外部から外部入力信号が実際に映像表示装置に入力されるという状況を作り出す必要がある。
例えば，映像表示装置をテレビジョン放送受信アンテナやＤＶＤ再生装置などに接続し，テレビジョン放送信号やＤＶＤ再生信号を外部入力信号として映像表示装置に入力させればよい。これにより，実際の動作状態でしか再現しないような異常があったとしてもその異常を検出すること等が可能となる。
しかしながら，映像表示装置の修理やメンテナンス等を行う際に，テレビジョン放送受信アンテナやＤＶＤ再生装置などに接続してテレビジョン放送信号やＤＶＤ再生信号を外部入力信号として入力させることは必ずしも容易ではない。
従って，本発明は上記事情に鑑みてなされたものであり，その目的とするところは，自己診断処理の実行時に外部から外部入力信号を入力させることなく，実際の動作状態に近い状態で自己診断処理を行うことのできる映像表示装置を提供することにある。
【課題を解決するための手段】
【０００５】
上記目的を達成するために本発明は，外部から入力される外部入力信号に基づいて映像及び音声を再生する映像表示装置に適用されるものであって，当該映像表示装置の動作状態を診断する自己診断処理を実行する自己診断手段と，当該映像表示装置の通常動作時に外部から入力される前記外部入力信号を記憶する外部入力信号記憶手段とを備えてなり，前記自己診断手段が，前記自己診断処理を実行する際に，前記外部入力信号記憶手段に予め記憶された前記外部入力信号に基づいて映像及び音声を再生させることを特徴とする映像表示装置として構成される。例えば，前記外部入力信号記憶手段は，外部から入力される前記外部入力信号の一時記憶に用いられる不揮発性のバッファメモリである。
本発明によれば，前記自己診断処理を実行する際，実際に外部から前記外部入力信号を入力させることなく，前記外部入力信号記憶手段から前記信号再生手段に前記外部入力信号を入力させることにより，容易に実際の動作状態に近い状態を作り出して前記自己診断処理を実行することが可能となる。
例えば，外部から入力されるテレビジョン放送信号からトランスポートストリーム信号を復調する復調手段を更に備えてなり，前記外部入力信号が，前記復調手段によって復調された前記トランスポートストリーム信号であることが考えられる。
本発明のより具体的な構成としては，当該映像表示装置の通常動作時に実行される通常動作プログラムが記憶された第１の記憶手段と，前記自己診断処理を実行するための自己診断プログラムが記憶された第２の記憶手段と，前記自己診断手段が実行するプログラムの読み出し先を前記第１の記憶手段及び前記第２の記憶手段の間で切り替えるプログラム切替手段とを更に備えることが考えられる。この場合，前記自己診断手段が，前記プログラム切替手段によってプログラムの読み出し先が前記第１の記憶手段から前記第２の記憶手段に切り替えられることにより，該第２の記憶手段に記憶された前記自己診断プログラムに従って前記自己診断処理を実行することになる。
【発明の効果】
【０００６】
本発明によれば，前記自己診断処理を実行する際，実際に外部から前記外部入力信号を入力させることなく，前記外部入力信号記憶手段から前記信号再生手段に前記外部入力信号を入力させることにより，容易に実際の動作状態に近い状態を作り出して前記自己診断処理を実行することが可能となる。
【図面の簡単な説明】
【０００７】
【図１】本発明の実施の形態に係る液晶テレビジョン受像機の概略構成を示すブロック図。
【図２】本発明の実施の形態に係る液晶テレビジョン受像機において実行される自己診断制御処理の手順の一例を説明するフローチャート。
【発明を実施するための形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，本発明の実施の形態に係る液晶テレビジョン受像機Ｘ（映像表示装置の一例）の概略構成について説明する。なお，本発明は，液晶表示パネルを用いた液晶表示装置に限らず，プラズマ表示パネルや有機ＥＬ表示パネルなどを用いた各種の映像表示装置に適用可能である。
図１に示すように，液晶テレビジョン受像機Ｘは，複数のチューナ１，外部信号入力部２，信号分離回路３，制御回路４，不揮発性メモリ５，リモコン受光部６，及びリモコン（リモート操作器）７，映像復号回路１１，映像選択・合成回路１２，映像処理回路１３，液晶ドライバ１４，液晶表示パネル１５，ＬＥＤ駆動回路１６，バックライト装置１７，音声復号回路２１，音声選択回路２２，音声処理回路２３，アンプ２４，スピーカ２５等を備えている。前記液晶テレビジョン受像機Ｘは，外部から入力されるテレビジョン放送信号に基づいて，前記液晶表示パネル１５及び前記スピーカ２５によって映像及び音声を再生する。
【０００９】
前記リモコン受光部６は，当該液晶テレビジョン受像機Ｘの操作用のリモコン７から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記制御回路４は，メインＣＰＵ４ａ，ＥＥＰＲＯＭ４ｂなどの制御機器を有しており，該メインＣＰＵ４ａで，前記不揮発性メモリ５から制御プログラムを読み出して前記ＥＥＰＲＯＭ４ｂに展開し，該制御プログラムに従った処理を実行することにより，当該液晶テレビジョン受像機Ｘ全体を制御するものである。
ここに，前記不揮発性メモリ５には，当該液晶テレビジョン受像機Ｘの通常動作時に実行される通常動作プログラムが予め記憶された記憶領域５１（第１の記憶手段の一例）と，当該液晶テレビジョン受像機Ｘの動作状態を診断する自己診断処理を実行するための自己診断プログラムが予め記憶された記憶領域５２（第２の記憶手段の一例）とが設けられている。前記不揮発性メモリ５の記憶領域５１，５２には，例えば所定のインターフェース（ＳＰＩ  Ｉ／Ｆなど）により外部のパーソナルコンピュータ等の情報処理装置から，前記通常動作プログラムや前記自己診断プログラムを書き込むことが可能である。もちろん，前記不揮発性メモリ５には，これらの制御プログラムの他，前記液晶テレビジョン受像機Ｘに関する各種の制御パラメータなども記憶されている。
なお，前記メインＣＰＵ４ａは，初期状態において，前記不揮発性メモリ５の記憶領域５１にアクセスして前記通常動作プログラムを実行するよう構成されている。もちろん，前記記憶領域５１，５２は，個別に設けられた２つの不揮発性メモリ（第１の記憶手段，第２の記憶手段に相当）に設けられたものであってもよい。
そして，前記メインＣＰＵ４ａは，前記不揮発性メモリ５におけるアクセス先のメモリアドレスを切り替えることにより，該メインＣＰＵ４ａで実行するプログラムの読み出し先を前記記憶領域５１及び前記記憶領域５２の間で切り替える。ここに，係る処理を実行するときの前記メインＣＰＵ４ａがプログラム切替手段に相当する。なお，前記記憶領域５１，５２が異なる不揮発性メモリに設けられている場合には，前記メインＣＰＵ４ａの信号経路の接続先をその２つの不揮発性メモリのいずれかに機械的に切り替えるスイッチを有することも考えられる。この場合には，そのスイッチがプログラム切替手段に相当する。
【００１０】
前記チューナ１は，不図示のアンテナによって受信されたテレビジョン放送信号から放送中のコンテンツ（放送番組）の信号を抽出する電子部品である。なお，前記チューナ１は，放送媒体（地上波，ＢＳ，ＣＳ等）ごとに個別に設けられる。
具体的に，前記チューナ１は，前記メインＣＰＵ４ａにより選択を指示された放送番組の信号が含まれる搬送波周波数成分の信号をテレビジョン放送信号から抽出し，その搬送波周波数成分からトランスポートストリーム信号（Transport Stream信号：以下，ＴＳ信号）を復調する。ここに，前記復調処理を実行するときの前記チューナ１が復調手段に相当する。そして，前記チューナ１で復調された後のＴＳ信号（外部入力信号の一例）は後段の前記信号分離回路３に伝送される。なお，本実施の形態では，前記チューナ１が前記搬送波周波数成分からＴＳ信号を復調する機能を有する構成を例に挙げて説明するが，前記搬送波周波数成分からＴＳ信号を復調する復調回路（復調手段の一例）が前記チューナ１とは別に設けられる構成も他の実施例として考えられる。
さらに，例えば契約者だけが視聴することができるように前記チューナ１で受信されるテレビジョン放送信号にスクランブル処理が施されている場合，前記チューナ１や前記復調回路がその暗号を解除するための所定のカードがカードリーダにセットされていることを条件に該テレビジョン放送信号からＴＳ信号を復調する構成も考えられる。
【００１１】
前記信号分離回路３は，通常動作時に前記チューナ１から入力されるＴＳ信号を順に記憶する不揮発性のバッファメモリ３１（外部入力信号記憶手段の一例）と，前記バッファメモリ３１から順に読み出されるＴＳ信号から映像信号及び音声信号，並びにメタデータ（コンテンツ情報）などを分離して出力する分離処理部３２とを備えている。
前記バッファメモリ３１は，前記チューナ１と前記分離処理部３２との間に介在して，該チューナ１から入力されるＴＳ信号をバッファリング（一時記憶）するために用いられる。前記バッファメモリ３１では，前記チューナ１から入力されるＴＳ信号が古いものから順に上書き保存され，上書きされるまでの間は最後のデータが保持される。従って，前記液晶テレビジョン受像機Ｘによるテレビジョン放送などの視聴が行われた後は，最後に受信したＴＳ信号が常に前記バッファメモリ３１に記憶されていることとなる。
前記分離処理部３２は，前記メインＣＰＵ４ａから受けたＰＩＤ（Packet IDentification）に応じて，視聴対象となる放送番組に対応した映像信号及び音声信号をＴＳ信号から分離し，映像信号を前記映像復号回路１１に，音声信号を前記音声復号回路２１にそれぞれ伝送する。これにより，前記液晶テレビジョン受像機Ｘでは，後述するように前記映像信号や前記音声信号に基づいて映像や音声が再生される。
【００１２】
前記映像復号回路１１は，前記信号分離回路３から伝送される映像信号を復号し，復号した映像信号を前記映像選択・合成回路１２に伝送する。
また，前記外部信号入力部２は，例えばＤＶＤプレイヤーやブルーレイディスクプレイヤー，Ｗｅｂストリーミングの受信装置（インターネットモデム等）などの外部装置から映像信号及び音声信号を入力する信号入力インターフェースである。前記外部信号入力部２に入力された映像信号は前記映像選択・合成回路１２に伝送され，音声信号は前記音声選択回路２２に伝送される。なお，前記外部信号入力部２は，前記映像信号に重畳されたメタデータを抽出して前記メインＣＰＵ４ａに入力する。
前記映像選択・合成回路１２は，前記メインＣＰＵ４ａからの制御指令に従って，前記映像復号回路１１を通じて入力される放送番組のコンテンツの映像信号と，前記外部信号入力部２を通じて入力される外部入力コンテンツの映像信号との中から，１つ又は複数の映像信号を選択して前記映像処理回路１３へ伝送する。
前記映像処理回路１３は，前記メインＣＰＵ４ａからの制御指令に従って，前記映像信号に基づく映像を前記液晶表示パネル１５に表示させるために前記液晶ドライバ１４に供給するフレーム画像信号を生成する。また，前記映像処理回路１３は，前記メインＣＰＵ４ａからの制御指令に従って，前記フレーム画像信号に含められる各コンテンツの画像のサイズを調節する機能なども有している。
【００１３】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
前記液晶表示パネル１５は，前記液晶ドライバ１４による制御に応じて，前記バックライト装置１７からの光の透光率を変更し，前記フレーム画像信号に対応する映像を表示する従来周知のアクティブマトリクス型の液晶表示パネルである。
前記バックライト装置１７は，前記液晶表示パネル１５の背面側にマトリクス状に配置された多数のＬＥＤを有しており，該液晶表示パネル１５を背後から照明する，いわゆる直下型ＬＥＤバックライト装置である。また，前記ＬＥＤ駆動回路１６は，前記メインＣＰＵ４ａからの制御指令に従って，前記バックライト装置１７の駆動（点灯）を制御する。
【００１４】
一方，前記音声復号回路２１は，前記信号分離回路３から伝送される音声信号を復号し，復号した音声信号を前記音声選択回路２２に伝送する。
また，前記音声選択回路２２は，前記メインＣＰＵ４ａからの制御指令に従って，前記チューナ１により選局された放送番組のコンテンツの音声信号（前記音声復号回路２１を通じて入力される音声信号）と，前記外部信号入力部２を通じて入力される音声信号との中から１つの音声信号を選択して前記音声処理回路２３へ伝送する回路である。
そして，前記音声処理回路２３は，前記メインＣＰＵ４ａからの指示に従って，前記音声選択回路２２により選択された音声信号に対して各種信号処理を行うものである。例えば，前記スピーカ２５の特性に合わせたイコライズ処理や，サラウンド処理等を行う。
また，前記アンプ２４は，前記音声処理回路２３による処理後の音声信号を，前記メインＣＰＵ４ａからの指示に従って増幅或いは減衰させる処理を行い，前記スピーカ２５に出力するものである。これにより前記スピーカ２５は，前記アンプ２４から入力された前記音声信号に基づく音声を再生（出力）する。
【００１５】
そして，前記液晶テレビジョン受像機Ｘでは，前記メインＣＰＵ４ａによって後述の自己診断制御処理（図２参照）が実行されることにより，必要に応じて当該液晶テレビジョン受像機Ｘの状態を診断する自己診断処理が実行される。
以下，図２のフローチャートに従って，前記自己診断制御処理の手順の一例について説明する。ここに，図中のＳ１，Ｓ２，…は処理手順（ステップ）の番号を表している。
【００１６】
（ステップＳ１〜Ｓ３）
まず，当該液晶テレビジョン受像機Ｘの電源が投入されると，前記メインＣＰＵ４ａは，前記通常動作プログラムが記憶された前記記憶領域５１にアクセス先を設定することによって該通常動作プログラムを読み出し，該通常動作プログラムに従ってテレビジョン放送の再生などの通常動作を実行する。
ここで，前記メインＣＰＵ４ａは，前記信号分離回路３を制御することにより，前記液晶テレビジョン受像機Ｘの通常動作時において映像及び音声を再生するときに外部から入力され，前記チューナ１によって復調されるＴＳ信号を前記バッファメモリ３１に順に記憶させる（ステップＳ２）。また，前記バッファメモリ３１に記憶されたＴＳ信号は順次前記分離処理部３２に入力される。なお，前記メインＣＰＵ４ａは通常動作時，前記ステップＳ２の他にも通常の液晶テレビジョン受像機が実行する各種の処理を実行するが，それらについては従来と同様であればよいため，ここでは説明を省略する。
そして，続くステップＳ３では，前記メインＣＰＵ４ａは，前記自己診断処理の開始要求がなされたか否かを判断する。例えば，前記メインＣＰＵ４ａは，サービスマン等による前記リモコン７に対する特殊操作により前記自己診断処理の開始要求がなされたか否かを判断する。また，前記自己診断処理の開始要求を行うためのスイッチが前記液晶テレビジョン受像機Ｘ本体に設けられていてもよい。もちろん，異常発生時などに自動的に前記メインＣＰＵ４ａが前記自己診断処理の開始要求があったと判断することも考えられる。
ここで，前記自己診断処理の開始要求がなされたと判断されると（Ｓ３のＹｅｓ側），処理はステップＳ４に移行し，前記自己診断処理の開始要求がなされていなければ（Ｓ３のＮｏ側），処理は前記ステップＳ２に戻され，通常動作が継続して実行される。
【００１７】
（ステップＳ４〜Ｓ７）
一方，前記自己診断処理の開始要求がなされると（Ｓ３のＹｅｓ側），続くステップＳ４において，前記メインＣＰＵ４ａは，プログラムの読み出し先を前記記憶領域５１から前記記憶領域５２に切り替える。これにより，その後，前記メインＣＰＵ４ａは，前記記憶領域５２から前記自己診断プログラムを読み出し，該自己診断プログラムに従って当該液晶テレビジョン受像機Ｘの動作状態を診断する自己診断処理を実行する（Ｓ５）。ここに，係る自己診断処理を実行するときの前記メインＣＰＵ４ａが自己診断手段に相当する。なお，前記自己診断処理の結果（異常内容や異常箇所など）は前記液晶表示パネル１５に表示される。
ここで，前記メインＣＰＵ４ａは，前記自己診断処理を実行する際，前記液晶テレビジョン受像機Ｘの通常動作時に前記バッファメモリ３１に予め記憶されていたＴＳ信号を，該バッファメモリ３１から前記分離処理部３２に転送することにより，該液晶テレビジョン受像機ＸでそのＴＳ信号に基づいて映像及び音声を再生させる（ステップＳ６）。なお，前記バッファメモリ３１から前記分離処理部３２へのＴＳ信号の転送は，前記メインＣＰＵ４ａによって行われてもよいが，例えばＤＭＡコントローラ等を設けておき，該ＤＭＡコントローラによるＤＭＡ転送によって行われてもよい。
従って，前記液晶テレビジョン受像機Ｘでは，当該自己診断処理の開始時に，実際に外部からＴＳ信号を入力させることなく，前記バッファメモリ３１からＴＳ信号を前記分離処理部３２に入力させることにより，実際の動作状態に近い状態で自己診断処理を行うことができる。
なお，前記自己診断処理の具体的内容については，前記バッファメモリ３１に予め記憶されていたＴＳ信号を前記分離処理部３２に入力させることを除き，従来と同様であればよいため，ここではその詳細な説明を省略するが，例えば，前記自己診断処理では，前記信号分離回路３へのＴＳ信号の入力から前記液晶表示パネル１５による映像の表示や前記スピーカ２５による音声の出力までの間に介在する各種の電気回路の動作の適否が判断される。
その後，ステップＳ７において，前記メインＣＰＵ４ａは，前記自己診断処理が終了したか否かを判断しており，終了したと判断すると（Ｓ７のＹｅｓ側），処理を前記ステップ１に戻して通常動作を再開する。一方，前記自己診断処理が終了するまでの間（Ｓ７のＮｏ側），前記メインＣＰＵ４ａは，処理を前記ステップＳ５に戻して前記自己診断処理を継続して実行する。
【００１８】
なお，本実施の形態では，前記メインＣＰＵ４ａが，前記自己診断処理（ステップＳ５）を実行するか否かを判断する場合を例に挙げて説明したがこれに限らない。例えば，前記メインＣＰＵ４ａの接続先を，前記通常動作プログラムが記憶された不揮発性メモリと前記自己診断プログラムが記憶された不揮発性メモリとのいずれかに切り替える機械的なスイッチが設けられており，サービスマンなどがそのスイッチを操作することによって，前記液晶テレビジョン受像機Ｘの動作状態を通常動作と自己診断処理とのいずれかに切り替えることも他の実施例として考えられる。
また，前記ＴＳ信号に代えて前記テレビジョン放送信号を外部入力信号として捉えてもよく，この場合，前記テレビジョン放送信号を不揮発性のバッファメモリ等に記憶させておき，前記自己診断処理を実行する際に，そのバッファメモリに予め記憶されていたテレビジョン放送信号を前記信号分離回路３に入力させればよい。もちろん，前記外部信号入力部２から入力される映像信号や音声信号を前記外部入力信号として捉えることも考えられる。
【産業上の利用可能性】
【００１９】
本発明は，テレビジョン受像機やディスプレイ装置などの映像表示装置に利用することができる。
【符号の説明】
【００２０】
Ｘ  ：液晶テレビジョン受像機（映像表示装置の一例）
１  ：チューナ
２  ：外部信号入力部
３  ：信号分離回路
３１：バッファメモリ
３２：分離処理部
４  ：制御回路
４ａ：メインＣＰＵ
４ｂ：ＥＥＰＲＯＭ
５  ：不揮発性メモリ
５１：記憶領域（第１の記憶手段の一例）
５２：記憶領域（第２の記憶手段の一例）
６  ：リモコン受光部
７  ：リモコン
１１：映像復号回路
１２：映像選択・合成回路
１３：映像処理回路
１４：液晶ドライバ
１５：液晶表示パネル
１６：ＬＥＤ駆動回路
１７：バックライト装置
２１：音声復号回路
２２：音声選択回路
２３：音声処理回路
２４：アンプ
２５：スピーカ
【図１】
2012019423.tif 000003
【図２】
2012019423.tif 000004